(57)【特許請求の範囲】
【請求項１】
現金による預金を取り扱うことのできる現金自動取り扱い装置における電子貨幣の取り扱い方法において、
（ａ）入金、出金、残高照会などの取引項目を表すメニューを選択可能に表示するステップと、
（ｂ）取り扱う貨幣が現金であるか電子貨幣であるかを選択させるための表示をするステップと、
（ｃ）現金が選択されたときに、キャッシュカードの挿入を受け付けて、指定された金融口座との間で前記選択されたメニューの取引を実行するステップと、
（ｄ）電子貨幣が選択されたときに、電子貨幣用ＩＣカードのＩＣカードリーダ／ライタへの挿入を受け付けて、前記ＩＣカードリーダ／ライタ内のＩＣに備えられた電子貨幣の出し入れを制御する機能プログラムにより、前記挿入された電子貨幣用ＩＣカードに対して前記選択されたメニューの取引を実行するステップと
を有することを特徴とする現金自動取り扱い装置における電子貨幣の取り扱い方法。
【請求項２】
現金による預金を取り扱うことのできる現金自動取り扱い装置における電子貨幣の取り扱い方法において、
（ａ）電子貨幣が収納されたＩＣカードのＩＣカードリーダ／ライタへの挿入を受け付けるステップと、
（ｂ）現金から電子貨幣への換金か電子貨幣から現金への換金かの選択を促す表示をするステップと、
（ｃ）電子貨幣から現金への換金か現金から電子貨幣への換金かのいずれかの選択を受け付けるステップと、
（ｄ）換金する金額の入力を促す表示をし、入力された金額を受け付けるステップと、
（ｅ）前記金額に対応する電子貨幣を前記ＩＣカードから引き出すかまたは前記金額に対応する現金を前記ＩＣカードに入金する処理を、前記ＩＣカードリーダ／ライタ内のＩＣに備えられた電子貨幣の出し入れを制御する機能プログラムにより実行するステップと
を有することを特徴とする現金自動取り扱い装置における電子貨幣の取り扱い方法。
【請求項３】
現金および電子貨幣の両方を取り扱い可能な現金自動取り扱い装置であって、
現金の搬入搬出装置と、現金読み取り装置と、表示装置と、操作装置と、キャッシュカード読み取り装置と、プリンタと、電子貨幣が収納されたＩＣカードのリーダ／ライタと、金融機関及び電子貨幣発行機構との間の通信手段とを有し、
前記ＩＣカードのリーダ／ライタは、その内部にＩＣを備え、該ＩＣの中に前記ＩＣカードの電子貨幣の出し入れを制御する機能プログラムを有する
ことを特徴とする現金自動取り扱い装置。
【請求項４】
請求項３において、
前記ＩＣは、電子貨幣の出し入れを制御するプログラムを保持するＲＯＭとＣＰＵとを有する
ことを特徴とする現金自動取り扱い装置。
【請求項５】
請求項３または４において、
前記ＩＣカードのリーダ／ライタは、ＩＣカードローダー、コネクターおよび電源電圧安定回路を前記ＩＣ外に備える
ことを特徴とする現金自動取り扱い装置。
【発明の詳細な説明】
【０００１】
【発明の属する技術分野】
本発明は、現金自動取扱装置（あるいは現金自動取引装置）において、電子貨幣を収納したカードを使用して、入金、出金、現金への換金、振込みの少なくとも一つを行うための、電子貨幣の取り扱い方法及び現金自動取り扱い装置に関する。
【０００２】
【従来の技術】
現金の代りに電子貨幣を使用するシステムが提案されている。このシステムでは、買物の代金は現金の代りに電子貨幣で支払われる。現金と違い、釣り銭が発生しないので、商店は予め釣り銭を準備しておく必要がなく、また釣り銭の受け渡しの誤りも生じない。このため現金の支払に比べ、客も店側もより便利に売買を行うことが可能となる。
【０００３】
電子貨幣システムとしては、例えば英国のＭondex Ｉnternational社が提案している方式「Ｍondex方式」や、オランダのＤigiＣash Ｂ．Ｖ．が提案している「Ｅcash」がある。その他いくつかの方式が提案されているが、いずれの方式もクレジット方式と異なり、まず現金に相当する電子貨幣を用意し、用意された電子貨幣から支払う方法が取られる。電子貨幣の用意とは、例えば銀行から現金を引き出すように電子貨幣カードに銀行から電子貨幣を引き出して収納することである。
【０００４】
電子貨幣カードとしては、例えば電子貨幣を収納し、集積回路（ＩＣ）により構成されたカードが注目されている。本発明はこれに限定されるものではないが、これを例として実施形態を説明する。以下ではこのカードを電子貨幣用集積回路カードあるいは電子貨幣用ＩＣカードあるいは単にＩＣカードと呼ぶ。このような電子貨幣用ＩＣカードおよびその他の電子貨幣カードをまとめて呼ぶときには単に電子貨幣カードと呼ぶ。
【０００５】
電子貨幣カードは不正取引を防止する機能を持つことが必要である。このため、電子貨幣用ＩＣカードは、例えば、通信機能を持つマイクロプロセッサと、処理プログラムおよび電子貨幣の残額を格納するＥＥＰＲＯＭなどによるメモリとを備えて構成されている。不正取引の防止のため、電子貨幣用ＩＣカード内に保持されている電子貨幣の残額が不正に書き換えできないように、専用ＩＣが設けられている方式がある。さらに例えば「Ｍondex方式」においては、ＩＣカードとＩＣカード間でのみ電子貨幣の受け渡しを行うことで不正使用を防ぐようにしている。
【０００６】
【発明が解決しようとする課題】
前述で提案されている電子貨幣システムは、未だ、システムを構成する各機器が何のような機能、形態を備えるべきかが定められておらず、開発途上にあるものである。
【０００７】
電子貨幣を使用するシステムは、多くの解決すべき問題を抱えている。また、社会生活の面からも、急激な変化は多くの混乱を引き起こす。現金を使用する経済活動は、電子貨幣を使用する経済活動に比べ、問題点を持っているが優れた点もある。従って、現金が急激に電子貨幣に置き変わることは考えられない。電子貨幣と現金の利点をそれぞれ活かし、併存する形で経済活動が営まれると考えられる。
【０００８】
利用者は現金と電子貨幣の両方を利用することとなる。このため、現金は現金のみを取り扱う取扱装置を利用し、電子貨幣は電子貨幣のみを取り扱う取扱装置を利用するのではたいへん不便である。電子貨幣を現金自動取扱装置で取り扱える様にすることが必要である。
【０００９】
したがって、本発明の目的は、銀行口座からの現金引き出し機に、あるいは銀行口座への現金預入機に、あるいは両機能を備えた機械などの装置（以下、これらをまとめて現金自動取扱装置あるいは現金自動取引装置と呼ぶことがある）において、電子貨幣による入金、出金、現金への換金、振込み等の内少なくとも１つの機能（以下取引）を行うための、電子貨幣の取り扱い方法及び現金自動取り扱い装置を提供することにある。
【００１０】
また、本発明のより具体的な目的は、現金自動取り扱い装置において、現金を扱うキャッシュカードと電子貨幣を扱うＩＣカードの両方を利用者が選択して使用できる電子貨幣の取り扱い方法及び現金自動取り扱い装置を提供することにある。
【００１１】
前記目的を達成するために、本発明は、現金による預金を取り扱うことのできる現金自動取り扱い装置における電子貨幣の取り扱い方法において、
（ａ）入金、出金、残高照会などの取引項目を表すメニューを選択可能に表示するステップと、
（ｂ）取り扱う貨幣が現金であるか電子貨幣であるかを選択させるための表示をするステップと、
（ｃ）現金が選択されたときに、キャッシュカードの挿入を受け付けて、指定された金融口座との間で前記選択されたメニューの取引を実行するステップと、
（ｄ）電子貨幣が選択されたときに、電子貨幣用ＩＣカードのＩＣカードリーダ／ライタへの挿入を受け付けて、前記ＩＣカードリーダ／ライタ内のＩＣに備えられた電子貨幣の出し入れを制御する機能プログラムにより、前記挿入された電子貨幣用ＩＣカードに対して前記選択されたメニューの取引を実行するステップとを有することを特徴とする。
【００１２】
また、本発明は、現金による預金を取り扱うことのできる現金自動取り扱い装置における電子貨幣の取り扱い方法において、
（ａ）電子貨幣が収納されたＩＣカードのＩＣカードリーダ／ライタへの挿入を受け付けるステップと、
（ｂ）現金から電子貨幣への換金か電子貨幣から現金への換金かの選択を促す表示をするステップと、
（ｃ）電子貨幣から現金への換金か現金から電子貨幣への換金かのいずれかの選択を受け付けるステップと、
（ｄ）換金する金額の入力を促す表示をし、入力された金額を受け付けるステップと、
（ｅ）前記金額に対応する電子貨幣を前記ＩＣカードから引き出すかまたは前記金額に対応する現金を前記ＩＣカードに入金する処理を、前記ＩＣカードリーダ／ライタ内のＩＣに備えられた電子貨幣の出し入れを制御する機能プログラムにより実行するステップとを有することを特徴とする。
【００１３】
さらに、本発明は、現金および電子貨幣の両方を取り扱い可能な現金自動取り扱い装置であって、現金の搬入搬出装置と、現金読み取り装置と、表示装置と、操作装置と、キャッシュカード読み取り装置と、プリンタと、電子貨幣が収納されたＩＣカードのリーダ／ライタと、金融機関及び電子貨幣発行機構との間の通信手段とを有し、前記ＩＣカードのリーダ／ライタは、その内部にＩＣを備え、該ＩＣの中に前記ＩＣカードの電子貨幣の出し入れを制御する機能プログラムを有することを特徴とする。
【００１５】
【発明の実施の形態】
以下、本発明に係る現金自動預入支払機を図面に示したいくつかの実施の形態を参照してさらに詳細に説明する。なお、発明の第２の実施の形態以降においては、発明の第１の実施の形態との相違点を主に説明するに止める。また、以下においては、同じ参照番号は同じものもしくは類似のものを表すものとする。
【００１６】
＜発明の実施の形態１＞
（Ａ）電子貨幣システムの概要
図１に示す電子貨幣システムは、銀行営業店システム１、百貨店、スーパーマーケット等の大型商店に設けられる流通システム２、エンドユーザシステム３としてのパソコン３２、ＩＣカード電話機３４、自動販売機システム４等にて構成され、これらは公衆通信網７に接続されている。図示例では、代表的なシステムがそれぞれ１システムずつ示されているが、多数のシステムが公衆通信網７に接続されて構成することができる。また、銀行営業店システム１は、専用回線７０等により銀行計算機センタ５に接続され、銀行計算機センタ５には、電子貨幣発行組織６が接続されている。
【００１７】
銀行営業店システム１では、窓口端末１２、現金自動預入支払機１４が内部通信回線１３を介して相互に接続され、さらに、リレーコンピュータ１７を介して銀行計算機センタ５に接続されている。電子貨幣決済のために、窓口端末１２にＩＣカードリーダ／ライタ１１が設けられ、現金自動預入支払機１４には、ＩＣカードリーダ／ライタ１８２（図３）が内蔵され、また、これらの装置には電子貨幣トランザクション制御端末１６を介して電子金庫１５が接続されている。
【００１８】
銀行計算機センタ５は、勘定系システムホスト５１と、外接系システム５２とにより構成され、外接系システム５２は、外接系制御端末５３、リレーコンピュータ１７、電子金庫１５により構成されている。
【００１９】
システムに参加する銀行、商店、自動販売機、個人等には、電子貨幣発行組織６からＩＣカード１０が配布され、また、銀行は、通常に流通している現金と交換に電子貨幣を受け取り、外接系システム５２内に設けられる電子金庫１５内に格納する。この電子金庫１５は、その内部に多数のＩＣカード１０を格納しており、各カード１０には、電子貨幣発行組織６から受け取った電子貨幣が収納される。外接系システム５２における電子金庫１５内のＩＣカードに収納される電子貨幣は、各銀行営業店に設置されている銀行営業店システム１における電子金庫１５内のＩＣカード１０にさらに分配される。
【００２０】
電子貨幣システムに参加するエンドユーザとしての個人は、配布されたＩＣカード１０を所持し、現金自動預入支払機１４により、銀行に持つ自己の口座の預金を電子貨幣に交換して引き下して、自己のＩＣカード１０内に収納することができる。
【００２１】
前述の電子貨幣の引き出しの際、個人の所持するＩＣカードは、現金自動預入支払機１４を介して、銀行営業店システム１内の電子金庫１５内のＩＣカードと接続される。そして、電子貨幣トランザクション制御端末１６の制御の下に、銀行営業店システム１内の電子金庫１５内のＩＣカード１０に収納されている電子貨幣が、個人の所持するＩＣカード１０内に収納される。このとき、銀行営業店システム１内の電子金庫１５内のＩＣカード１０に収納されている電子貨幣の残高は、個人の所持するＩＣカード１０内に収納した分だけ減額される。本実施の形態ではこの引き出しの際にキャッシュカードを併用する。後に示す第２の実施の形態では、このキャッシュカードを併用する必要はない。また、現金自動預入支払機１４での個人の口座からの預金の現金による引き下しは、従来から行われていたと同様にキャッシュカードを使用して行われる。
【００２２】
（Ｂ）現金自動預入支払機１４
図２に示すように、現金自動預入支払機１４は、預金通帳等を挿入する通帳挿入口１４１、支店案内等を表示した表示パネル１４２、キャッシュカード、振込みカード、電子貨幣を収納したＩＣカード等を挿入するカード挿入口１４３、紙幣投入／排出口１４４、硬貨投入／排出口１４５、所要の処理を指示するタッチパネル１４６、人が近づいたことを検出して現金自動預入支払機を使用可能な状態にする感知装置１４７、誤投入された硬貨、不正な硬貨等を排出する硬貨誤投入排出受け口１４８を本体部１４０に備える。
【００２３】
現金自動預入支払機１４の詳細構造を図３に示す。制御用マイクロプロセッサ１６２にはリードオンリーメモリ１６４とランダムアクセスメモリ１６６と以下に説明する多くの回路および装置がバス１６３を介して接続されている。この現金自動預入支払機１４は、図５で説明する、ＩＣカード１０の内容を読み取ったり、そこに情報を書き込んだりするＩＣカードリーダ／ライタ１８２をカードリーダ／ライタ装置１８３内に有する点および後に説明する現金およびＩＣカードを用いた取引を実行するように、この装置１４を構成するいろいろの装置および回路の動作を制御するプログラムを上記リードオンリーメモリ１６４に記録している点に特徴がある。
【００２４】
現在いろいろな構造の電子貨幣カードが提案されている。とくに、利用者の銀行口座がある銀行識別番号と口座番号を有するカードもあればそうでないカードもある。また、現金と電子貨幣が併用されている経済活動においては、銀行識別番号および口座の識別番号が電子貨幣カードの記憶されていても、この記憶された銀行識別番号および口座番号により特定される口座と異なる口座、例えば従来のキャッシュカードの取り扱い銀行口座、からお金を引き出し、電子貨幣で受け取ることが必要となる。さらにその逆に、電子貨幣を振り込んで、通常の預金口座に預金することも必要となる。
【００２５】
本実施の形態では、上記の場合、銀行識別番号と口座番号の入力に従来のキャッシュカードを併用する点にも特徴がある。
【００２６】
タッチパネル１４６は、利用者が表示画面上の位置を操作することにより、情報を入力することを利用者に指示するもので、例えばＣＲＴからなる表示装置１４６Ａと、その表示面上に設けられ、その面上の利用者が押圧等により指示した位置を検出するためタッチパネル操作部１４６Ｂとよりなる。ＣＰＵ１６２は、ＲＯＭ１６４内のプログラムに従って表示装置１４６Ａに、利用者に対するガイダンス情報あるいは利用者が選択すべき複数のメニューあるいはボタンを表示する。利用者は表示されたメニューあるいはボタンの位置をタッチパネル操作部１４６Ｂ上で指示したときに、タッチパネル操作部１４６Ｂがその位置を検知し、ＣＰＵ１６２は、ＲＯＭ１６４内のプログラムに従って検出された位置が表す利用者の指示内容を判別し、取り込む。
【００２７】
キャッシュカードリーダ／ライタ１８４は、銀行との間で予め作られているキャッシュカードの内容を読み取ったり、書き込んだりする。紙幣読み取り装置１７４は、紙幣を読み取り、計数し、その金額を計算する。この装置には紙幣投入／排出口１４４に投入された紙幣が紙幣搬入排出装置１７２により供給され、あるいは現金貯蔵庫１７３から排出すべき紙幣が供給される。紙幣搬入排出装置１７２はこの排出すべき紙幣を紙幣読み取り装置１７４から紙幣投入／排出口１４４に排出するのにも使用される。硬貨読み取り装置１７４、硬貨投入排出装置１７６は、硬貨投入／排出口１４５に投入あるいは排出される硬貨に関して同様の動作をする。
【００２８】
通帳搬入排出装置１８０は、通帳挿入口１４１に挿入された通帳を通帳読み取り装置１８１に搬送した後にプリンター１８８で印字できるようにセットする。またプリンター１８８で印字し終わった通帳を通帳挿入口１４１から排出する。プリンター１８８は口座残高や払い込み引き出し金額などをこの通帳に印字する。通帳読み取り装置１８１は、預金通帳の裏面に通常貼付されている磁気ストライプに記録された銀行識別番号、口座番号を読み取る。利用者がキャッシュカードを入力しなかったときには、ＣＰＵ１６２はこの通帳から読み取られたこれらの項目を利用する。通信ポート１６８とモデム回路１７０は、通信回線７を介して他の装置と情報のやり取りを行う。
【００２９】
（Ｃ）ＩＣカードリーダ／ライタ
ＩＣカードリーダ／ライタ１８２の詳細回路を図４に示す。図中、ＩＣ  ＣＡＲＤ  ＬＯＡＤＥＲ３３１とコネクター３３０５と電源電圧安定回路３３１８以外は、１個のＩＣで構成されている。このＩＣ回路はＩＣカード１０の通貨の出し入れを制御する機能のプログラムをこのＩＣ内に有しているので、不正な方法でＩＣカード１０を操作し、貨幣残高を改変するなどの不正操作を防止できる。この点が改善点の一つである。即ち、図３のＣＰＵ１６２で電子貨幣の処理内容の指示をＣＰＵ３３１５に行うが、ＩＣカード１０への電子貨幣の具体的な出し入れの処理は行えない。電子貨幣の具体的な出し入れの処理のプログラムは、ＲＯＭ３３１０やＲＯＭ３３１３に保持され、このプログラムに従いＣＰＵ３３１５が処理する。上記ＲＯＭ３３１０やＲＯＭ３３１３、ＣＰＵ３３１５が一個のＩＣ内に作られているので、このプログラムを解読して不正を行うことは殆ど不可能である。
【００３０】
３３０はＩＣカードリーダ／ライタ１８２の本体部で、ローディング制御回路３３０４や、コネクター３３０５や、ＩＣカード活性化制御回路３３０６、クロック発生回路３３０７、リーダ／ライタ制御回路３３１１、ＲＯＭ３３１０、データ抽出回路３３１１、メインプログラムＲＯＭ３３１３、ＲＡＭ３３１４、ＣＰＵ３３１５、ＩＣカードチェックデータ格納部３３１６、電源電圧安定回路３３１８を有している。
【００３１】
ＩＣカードリーダ／ライタ１８２は、本体部３３０内に、ＩＣカード１０を引き込みＩＣ  ＣＡＲＤ  ＬＯＡＤＥＲ３３１に挿入固定する制御回路であるローディング制御回路３３０４を有しており、これにより所定の位置にＩＣカード１０が固定される。この位置でコネクター３３０５がＩＣカード１０の端子とつながり、ＩＣカード１０に電源とクロックがクロック発生回路３３０７とＩＣカード活性化制御回路３３０６から供給される。さらにそれに続き、リセット信号が送られ、図５に示すＩＣカード１０内のＣＰＵ１０４が動作を開始する。即ち、ＩＣカード１０は活性化される。
【００３２】
ＣＰＵ３３１５はＩＣカード１０に格納されている情報種別を示すＩＤデータをＩＣカード１０からコネクター３３０５、リーダ／ライタ制御回路３３０８、データ抽出回路３３１１を通して読み出す。これらの動作はＲＯＭ３３１０に格納されているプログラムによりＩＳＯ規格に準じて行われる。ＲＯＭ３３１０に格納されているプログラムは、例えばＩＣカードとデータ入力フォーマットをＩＣカードのプロトコルに合わせるためのフォーマット交換、ＩＣカードの活性化手順、ＩＣカードとのリードライトの手順などである。
【００３３】
ＣＰＵ３３１５は、ＩＣカード１０から読み出されたＩＤデータと、ＩＣカードチェックデータ格納部３３１６の内容（カードチェックデータと電子貨幣プログラムＩＤ）とを比較し、ＩＣカード１０に電子貨幣情報が格納されているかどうかをチェックする。ＩＣカード１０に電子貨幣情報が格納されていることが確認されると、ＩＣカードリーダ／ライタ１８２はメインプログラムＲＯＭ３３１３に格納されているプログラムにより動作可能となり、このプログラムにより処理が行われる。即ち、ＩＣカード１０への電子貨幣の収納、ＩＣカード１０からの電子貨幣の引出、ＩＣカード１０からの履歴の読み出しを行う。これらの処理は図３のＣＰＵ１６２からの指令に基づいて行われる。
【００３４】
（Ｄ）ＩＣカード１０
図５は、ＩＣカード１０のブロック図を示す。このブロック図は、電子貨幣の不正使用を防止する目的から１個の独立したＩＣ回路で作られている。このＩＣ回路の外部との接続はコンタクト１０３で行われる。コンタクト１０３は、ＩＣカードリーダ／ライタ１８２のコネクター３３０５と接続する。
【００３５】
１０４はＣＰＵであり、１０５はＥＥＰＲＯＭ、１０６はＲＯＭである。電子貨幣が収納されたＩＣカード１０には、外部との間で信号や電源やクロックやリセット信号をやり取りするコンタクト部１０３と、ＩＣカード１０の動作を制御するＣＰＵ１０４と、ＣＰＵ１０４のためのプログラムを格納するＲＯＭ１０６と、電子貨幣などのデータを保持するための書き換え可能なメモリ、例えばＥＥＰＲＯＭ１０５などのメモリとを備えられている。
【００３６】
ＣＰＵ１０４は、ＩＳＯ規格に準じてデータを入出力するためのプロトコル制御や、ＲＯＭ１０６に格納されているプログラムに準じた暗号化などの処理を行う。また電子財布の必要機能として、電子貨幣の保持金額などの情報や、通貨の払い込み払い出しの履歴情報などが、ＣＰＵ１０４によつてＥＥＰＲＯＭ１０５に書き込まれる。保持金額情報は電子貨幣の保持額として使用され、また履歴情報は利用者の要求に応じ読み出されて印字され、利用者の取引の確認などに使用される。ＩＣカード１０に銀行および口座番号が記録される場合は、ＥＥＰＲＯＭ１０５に記録される。また利用使用としている人が正しい利用者であるかどうかの確認を行うための暗証番号もＥＥＰＲＯＭ１０５に記録され、利用者が変更の必要性を感じた場合、自由に変更出来る。ＲＯＭ１０６には情報の種別を示すＩＤデータが格納されており、このデータと図４のＩＣカードチェックデータ格納部３３１６に格納されたＩＤデータとを比較して、ＩＣカード１０が正しいカードであるかどうかを確認する。
【００３７】
ＩＣカード１０の機密保護のための必須機能の一つとして、ロック／アンロックが知られている。これは正当な利用者以外のものがＩＣカード１０内の電子貨幣を引き出すのを防止するためのもので、利用者は、銀行営業店内にあるかあるいは利用者が所有する適当なロック機器（図示せず）にＩＣカードを挿入し、このＩＣカードをロックすることができる。アンロックも同様の機器を使用し、利用者の暗証番号を使用して行う。以下に説明するように、本実施の形態では、現金自動預入支払機１４は、ロックされたＩＣカードをアンロックすることもできる。ＩＣカードがロックされたときには、そのことを示すフラグがＥＥＰＲＯＭ１０５に記録される。ロックされたＩＣカードからは電子貨幣の引き出しや履歴の読みだしはできないが、そのカードへ追加の電子貨幣を蓄積することあるいはそのカード内のすでに蓄積された電子貨幣の残高の確認はできる。このために、ＩＣカード内のＣＰＵ１０４は、外部からのアクセスがあったときには、このカードがロックされているか否かを判別した上で、そのアクセスを実行するか否かを制御する。
【００３８】
（Ｅ）装置動作
次に、現金自動預入支払機１４の種々の利用形態の処理動作を説明する。以下に説明するこの装置の動作はＣＰＵ１６２（図３）がいろいろの回路および装置をＲＯＭ１６４内のプログラムに従って制御することにより実現される。また、この装置１４は、利用者に特定の情報の入力あるいは操作を促す場合、タッチパネル１４６にガイダンス情報あるいは選択すべき複数のメニューあるいはボタンを表示するようになっている。しかし、以下の説明では、この装置１４が利用者にある操作を要求するときに表示するガイダンス情報あるいはメニューが明らかであるときには、そのガイダンス情報あるいはメニューを説明しないで、それらの表示後に行われる利用者の操作のみを説明することがある。
【００３９】
（Ｅ１）入金
利用者が自己の銀行口座にＩＣカード内の電子貨幣を入金するときの装置の動作と利用者の操作を図６を参照して説明する。
【００４０】
（１）まず、初期状態でタッチパネル１４６にいろいろの取り扱いを表す複数のメニューを表示し、その一つを選択することを利用者に指示する。これらのメニューは、一つの取引に関しては、現金、あるいは口座、電子貨幣のいずれを使用する場合でも、これらに共通のメニューが使用される。これにより、利用者は、従来の操作手順と同じ要領で、これらのいろいろの貨幣が使用できる。なお、ここでは「入金」を表すメニューが選択される（ステップ４０２）。利用者への上記指示を行うには従来からいろいろ知られているガイドのための方法の一つまたは複数を使用する。例えば、タッチパネル上に指示内容を表示するか、タッチパネルに表示された上記メニューあるいはそれに関連する画面上の箇所の表示を点滅させるか、あるいは音声により指示内容を利用者に知らせる。このことは、後に述べるいろいろいろの手順において利用者に他の操作を指示する場合でも同じである。
【００４１】
（２）「入金」が選択されることにより、タッチパネル１４６に現金と電子貨幣をそれぞれ表すメニューを表示し、いずれの貨幣を使用して入金を行うかを選択することを利用者に指示する（ステップ４０４）。今の場合、電子貨幣による入金が選択される。この選択により、ステップ４０６へ移るが、その前にステップ４２６から４４０の手順を簡単に説明する。
【００４２】
このステップ４２６から４４０の手順は、従来からある現金自動預入支払機で行われている現金による入金操作と同じである。すなわち、銀行口座を指定することを利用者に指示する。具体的には銀行により予め作られたキャッシュカードをカード挿入口１４３へ挿入することを利用者に指示する（ステップ４２６）。
【００４３】
挿入されたキャッシュカードは、キャッシュカードリーダ／ライタ１８４に搬送され、このカードからその利用者の取引銀行の識別番号と口座番号が読み出される。なお、キャッシュカードに代りて、銀行識別番号や口座番号を図示しないテンキーまたはタッチパネル１４６に表示されるテンキー等で入力することを利用者に指示してもよい。利用者はキャッシュカードに加えて口座の預金通帳を通帳挿入口１４１に挿入してもよい。利用者が預金通帳を挿入したときには、キャッシュカードの挿入は不要にすることもできる。預金通帳に付された磁気ストライプに記録された口座番号を通帳読み取り装置１８１により読み出し、利用できるからである。
【００４４】
次に利用者の正当性を確認するため、個人識別符号として暗証番号を入力することを利用者に指示し（ステップ４２８）、口座番号と暗証暗号から利用者の正当性を確認する。但し、利用者が預金通帳を使用したときには、入金の場合には暗証番号の入力およびそれに基づく利用者の正当性の確認を省略することもできる。利用者の正当性が確認できたときあるいはその確認を省略したときには、入金したい現金を紙幣投入口１４４から投入することを利用者に指示する（ステップ４３４）。
【００４５】
投入された現金は紙幣読み取り装置１７４（図３）により機械的に計数され、その金額が計算されてタッチパネル１４２に表示される。利用者がこの金額が正しいかを確認し、金額が正しければステップ４３６で確認のボタンを押すことを利用者に指示する。このボタンが押されると、入金手続きが開始される。具体的には、投入された紙幣の金額とキャッシュカードから読み出された銀行識別番号と口座番号は通信ポート１６８とモデムポート１７０を介して、銀行営業店システム１および専用回線７０を経由して銀行計算機センタ５内の計算機に通知され、その口座番号の口座に入金が記録され、残高が更新される。利用者が投入した現金は現金貯蔵庫１７３内に保存される。預金通帳が挿入されている場合には、その通帳に取引を記録し、入金額や利用者の上記口座の最終残高が明細書に印字され、挿入したキャッシュカードおよび明細書が排出される(ステップ４３８)。これらのステップを行うことにより現金での振込みが完了する(ステップ４４０)。
【００４６】
（３）利用者がステップ４０４で電子通貨を選択した場合、電子貨幣を振込む銀行と口座番号を指定することを利用者に指示する（ステップ４０６）。この指定は、ステップ４２６と全く同様に行う。通常はキャッシュカードを入力することを利用者に指示する。このようにＩＣカードを使用する場合でも、銀行識別番号と口座番号の指定に従来のキャッシュカードを併用するのは、これらの情報を保持しいてないＩＣカードとこれらの情報を保持しているＩＣカードのいずれを用いても全く同じ手順で電子貨幣による入金を実行できるようにするためである。さらに現金と電子貨幣の両方を使用する経済活動においては、ＩＣカードに記憶された銀行識別番号と口座番号により特定される銀行口座と異なるキャッシュカードの口座に、ＩＣカードの電子貨幣を振り込む必要が生じるためである。
【００４７】
なお、ＩＣカードに記録された銀行識別番号と口座番号により特定される銀行口座に電子貨幣を振り込む場合、後の実施の形態２で述べる通り、ステップ４０６の前にＩＣカード１０を挿入し、このＩＣカード１０から銀行識別番号と口座番号とを読み取り、これらの番号によって銀行口座が指定されるので、ステップ４０６は省略される。なお、以下では、キャッシュカードあるいはＩＣカードに記憶された銀行識別番号と口座番号の組のように口座を特定するための情報を口座識別情報と呼ぶことがある。また、この情報がカードに記憶されている場合に、そのカードに銀行口座が記憶されていると言う場合もある。
【００４８】
次に、暗証番号を入力することを利用者に指示し、指定された口座番号と暗証暗号から利用者の正当性を確認する（ステップ４０８）。利用者が預金通帳を挿入した場合の例外的な処理を行うようにしてもよいことは、先にステップ４２８に関して述べた現金による入金の場合と同じである。利用者の正当性を確認できたときには、次に電子貨幣の入っているＩＣカードをカード挿入口１４３に挿入することを利用者に指示する（ステップ４１０）。挿入されたＩＣカード１０は、ＩＣカードリーダ／ライタ１８２（図３）に搬送される。
【００４９】
（４）利用者が所持するＩＣカードは、その内部に格納されている電子貨幣の引き出しが可能なように、予め銀行営業店内に設置されているかあるいは利用者が所持しているアンロック機器（図示せず）を使用してロックを解除しておく必要がある。現金自動預入支払機１４は、そこにＩＣカードがを挿入されると、このカードがロックされているか否かを検査し、ロックされている場合には、その旨をタッチパネル１４６に表示し、アンロックを利用者に要求する。利用者は、ＩＣカードのロックが解除されていない場合、図示しないテンキーまたはタッチパネル１４６に表示されるテンキーを使用して利用者の暗証番号を入力することによりＩＣカードのロックを解除する（ステップ４１２）。
【００５０】
（５）利用者は、次のステップ４１４で、銀行口座にカード１０から振込む金額を入力する。入力された金額が表示される。この金額に誤りがないかを確認してステップ４１６で確認ボタンを押す。タッチパネル１４６に確認の表示がある場合は、その表示の部分を指示することで確認の情報が入力される。ここでカード１０の保持金額より多い金額がステップ４１４で入力されると、入力エラーの表示が出て、さらに訂正指示を行う表示が出る。この場合は、利用者は、上記タッチパネル１４６上で訂正を入力するかまたは専用の訂正ボタンで訂正の指示を行って、金額の入力をやり直す必要がある。上記操作により、金額入金の操作は終了する。
【００５１】
（６）現金自動預入支払機１４では、この後、ＣＰＵ１６２（図３）がＩＣカードリーダ／ライタ１８２を介してＩＣカード１０内の電子貨幣から利用者が指定した金額の電子貨幣を引き出す。引き出された電子貨幣は、ＣＰＵ１６２の制御の元で、通信ポート１６８，モデム回路１７０および銀行営業店システム１内の内部通信回線１３を介して電子通貨トランザクション制御端末１６に転送され、その端末１６の制御の元でさらにこのシステム１内の電子金庫１５に転送される。現金自動預入支払機１４は、さらにこの利用者の口座への入金処理を行う。このときの装置動作は、現金による入力があった場合について説明した場合と同じである。
【００５２】
（７）次にステップ４１７で、カード１０を再度ロックするかどうかの確認のメッセージがタッチパネル１４６に表示される。利用者は、ここでロックするか、アンロックのままにするかを選択できる。なおこのステップは特になくても問題はないが、安全確保のためロックを希望する利用者に対しては、ある方が便利である。
【００５３】
（８）現金自動預入支払機１４は、その後、 預金通帳が挿入されている場合には、その通帳に取引を記録し、預金通帳が挿入されていない場合には、先に述べたと同じ、取引明細書を作成して、ＩＣカードと、通帳またはキャッシュカードおよび明細書を排出する。利用者は、これらを受け取って処理を終了する（ステップ４１８と４２０）。
【００５４】
（Ｅ２）出金
図７を参照して、預金口座から電子貨幣を収納するＩＣカードへの出金の処理を説明する。
【００５５】
（１）まず、初期状態でタッチパネル１４６に種々の取引を表す複数のメニューを表示し、それらから一つを選択することを利用者に指示する。ここでは「出金」が選択される（ステップ５０１）。
【００５６】
（２）キャッシュカードをカード挿入口に挿入することを利用者に指示し、預金通帳への記帳が必要であれば預金通帳をその挿入口に挿入することを利用者に指示し、暗証番号の入力を行わせる（ステップ５０２、５０３）。ステップ５０２，５０３の処理は先に述べた現金による入金あるいは電子貨幣による入金の場合と同じであるが、利用者が預金通帳を使用しても、暗証番号の入力は省略できない。
【００５７】
（３）利用者の正当性が確認できれば、ＩＣカードに収納すべき電子貨幣の金額を入力することを利用者に指示し、表示される金額を確認して確認ボタンを押することを利用者に指示する（ステップ５０４、５０５）。
【００５８】
（４）ステップ５０５の後、タッチパネル１４６に現金による出金か、ＩＣカードへの電子貨幣による収納かを選択するのを求める表示を行う。ここでは電子貨幣をＩＣカード内に収納する出金を行うとしているので、「電子貨幣」が選択される（ステップ５０６）。なお、ここで「現金」が選択されれば、その後の装置動作および利用者の操作は従来の現金自動預入支払機と同一の動作となるので図示していない。具体的には、図６のステップ４３６が実行された後に、現金が排出され、さらにステップ４３８が実行される。
【００５９】
（５）ステップ５０６で「電子貨幣」が選択されると、キャッシュカードが排出される。次に、電子貨幣を収納するＩＣカードをカード挿入口１４３に挿入することを利用者に指示する（ステップ５０７、５０８）。
【００６０】
（６）現金自動預入支払機１４は、口座からの出金の処理を行い、ＩＣカードへの電子貨幣の収納を行う。口座からの出金の処理は、口座への入金の場合と同様である。ＩＣカードへ収納する電子貨幣は、先に説明したＩＣカードからの入金の場合と逆に、電子通貨トランザクション制御端末１６の制御の元に、銀行営業店システム１の電子金庫１５から現金自動預入支払機１４に転送され、ＣＰＵ１６２の制御の元に、ＩＣカードリーダ／ライタ１８４によりＩＣカード１０に収納される。ＩＣカードへの電子貨幣の収納を行ったことをタッチパネル１４６に表示する。利用者がこれを確認すると、ＩＣカードが排出されるとともに、預金通帳が挿入されている場合には、その通帳に取引を記録し、また、キャッシュカードのみの挿入であった場合には、取引の明細書を作成して、ＩＣカードと、通帳または明細書を排出する（ステップ５０９）。利用者はこれらを受け取って処理を終了する（ステップ５１０）。
【００６１】
図７では、図６のステップ４１２で行ったＩＣカードに対するロック解除は行う必要はない。ＩＣカード内に電子貨幣を収納する場合には、ＩＣカードがロックされている状態でも処理を行うことができるからである。このことは、後述する他の処理でアンロック処理が説明されていない場合には同様である。
【００６２】
図７の処理は、ＩＣカードに銀行識別番号と口座番号が記録されていない場合、あるいは、ＩＣカード記録された銀行識別番号と口座番号により特定される口座以外のキャッシュカードにより指定される口座からお金を引き出す場合を示す。ＩＣカードに記録された銀行識別番号と口座番号により特定される口座から電子貨幣を引き出す場合は、後の実施の形態２で述べる通り、ステップ５０２の前でＩＣカードを挿入し、ステップ５０２はスキップする。これによりＩＣカードから銀行識別番号と口座番号を読み出すことで、口座指定が行われる。ステップ５０３、５０４、５０５、５０６、５０９、５１０は図７で説明の通りである。一方ステップ５０７と５０８はスキップされる。
【００６３】
（Ｅ３）残高照会
図８を参照して電子貨幣を収納するＩＣカード内の電子貨幣の残高確認の処理を説明する。
【００６４】
（１）まず、初期状態でタッチパネル１４６に種々の取引を表す複数のメニューを表示し、それらから一つを選択することを利用者に指示する。ここでは「残高照会」が選択される（ステップ６０２）。
【００６５】
（２）機能として「残高照会」が選択されることにより、タッチパネル１４６に銀行口座の現金の残高照会か、ＩＣカード１０に保持されている電子貨幣の残高照会かの選択の表示を出す。「口座残高」が選択されると、従来と同様に銀行口座の指定を行うため、ステップ６１６でキャッシュカードを挿入することを利用者に指示し、ステップ６１８で暗証番号を入力することを利用者に指示する。ステップ６２０で銀行口座の残高が表示され、ステップ６２２でこれを利用者が確認して確認の入力が行われる。挿入したキャッシュカードを排出し、利用者が受け取り一連の口座残高の確認を終了する（ステップ６２６）。ＩＣカードに記録されている銀行口座の口座残高を知りたい場合は、ステップ６１６でキャッシュカードの代わりにＩＣカードを挿入する。ステップ６１８、６２０、６２２は同様の処理を行う。この事により、ＩＣカードに記録されている銀行口座の口座残高を知ることが可能となる。この場合、ステップ６２４でＩＣカードを取り出すこととなる。
【００６６】
ステップ６０４でＩＣカード１０の電子貨幣の残高照会が選択された場合は、ステップ６０４からステップ６０６へ進む。
【００６７】
（３）ＩＣカードをカード挿入口に挿入することを利用者に指示する（ステップ６０６）。
【００６８】
（４）現金自動預入支払機１４は、ＩＣカード内の電子貨幣の残高を読み出して表示する（ステップ６０８）。
【００６９】
（５）利用者は、これを確認し、確認ボタンを押すとＩＣカードが排出され、ＩＣカードを受け取って処理を終了する（ステップ６１０，６１２）。
【００７０】
（Ｅ４）換金（１）
図９を参照して現金を投入して、所要の金額を電子貨幣に換金してＩＣカード内に収納する処理を説明する。
【００７１】
（１）まず、初期状態でタッチパネル１４６に種々の取引を表す複数のメニューを表示し、それらから一つを選択することを利用者に指示する。ここでは「換金」が選択される（ステップ７０１）。
【００７２】
（２）取引として「換金」が選択されたことにより、タッチパネル１４６に現金から電子貨幣への換金か、ＩＣカード内の電子貨幣から現金への換金かを選択する表示を行う。ここでは現金から電子貨幣への換金を行うとしているので、「現金から電子貨幣」が選択される（ステップ７０２）。
【００７３】
（３）ＩＣカードをカード挿入口に挿入することを利用者に指示し、換金すべき金額を入力することを利用者に指示する（ステップ７０３、７０４）。
【００７４】
（４）次に、入力された金額を表示し、利用者は、表示された換金額を確認して確認ボタンを押し、現金を紙幣投入／排出口１４４、硬貨投入／排出口１４５に入金する（ステップ７０５、７０６）。
【００７５】
（５）現金自動預入支払機１４は、入金された紙幣、硬貨を計数して入金額を表示し、利用者がこれを確認すれば、入力された換金額の電子貨幣をＩＣカードに収納する処理をＣＰＵ１６２の制御の元でＩＣカードリーダ／ライタ１８４により行う（ステップ７０７）。投入された現金の金額と換金額との差額を算出して、明細書を作成し、ＩＣカード、釣り銭、明細書を排出する。利用者は、これらを受け取って処理を終了する（ステップ７０８）。
【００７６】
（Ｅ５）換金（２）
図１０を参照してＩＣカード内に収納されている電子貨幣を現金に換金して受け取る処理を説明する。
【００７７】
（１）まず、初期状態でタッチパネル１４６に表示されている種々の取引を表すメニューから一つを選択する。ここでは「換金」が選択される（ステップ８０１）。
【００７８】
（２）取引として「換金」が選択されたことにより、タッチパネル１４６に現金から電子貨幣への換金か、ＩＣカード内の電子貨幣から現金への換金かを選択する表示が行われる。ここでは電子貨幣から現金への換金を行うとしているので、「電子貨幣から現金」が選択される（ステップ８０２）。
【００７９】
（３）ＩＣカードをカード挿入口に挿入することを利用者に指示する（ステップ８０３）。
【００８０】
（４）ＩＣカードがロックされていない場合には利用者にこれを通知し、ＩＣカードのロックを解除することを利用者に指示する（ステップ８０４）。このときの装置動作と利用者の操作は、出金に関して説明したステップ４１２（図６）におけるものと同じである。
【００８１】
（５）換金額を入力することを利用者に指示する。入力された換金額を表示し、その金額を確認することを利用者に指示する。例えば、確認ボタンを押することを利用者に指示する（ステップ８０５、８０６）。
【００８２】
換金額が確認されると、現金自動預入支払機１４は、換金処理を実行する。すなわち、入力された換金額の電子貨幣を挿入されたＩＣカードから引き出し、銀行営業店システム１内の電子金庫１５にすでに述べたのと同じ方法で移動する。さらに換金額に相当する現金を現金貯蔵庫１７３から排出する。
【００８３】
（６）その後明細書を作成し、ＩＣカード、現金、明細書を排出する。利用者は、これらを受け取って処理を終了する（ステップ８０７）。
【００８４】
（Ｅ６）振込み
図１１を参照してＩＣカード内の電子貨幣の所要の金額を、他の人の口座に振込む処理を説明する。
【００８５】
（１）まず、初期状態でタッチパネル１４６に種々の取引を表す複数のメニュー表示し、それらのメニューから一つを選択することを利用者に指示する。ここでは「振込み」が選択される（ステップ９０１）。
【００８６】
（２）取引として「振込み」が選択されたことにより、タッチパネル１４６に、振込みに使用する貨幣のソースとして、現金、、電子貨幣、利用者の預金口座をそれぞれ表すメニューを表示し、その一方を選択することを利用者に指示する。ここでは電子貨幣による振込みを行うとしているので、「電子貨幣」が選択される（ステップ９０２）。
【００８７】
（３）ＩＣカードをカード挿入口に挿入することを利用者に指示する（ステップ９０３）。
【００８８】
（４）ＩＣカードのロックの確認とアンロックを実行することを利用者に指示する。（ステップ９０４）。このときの装置動作と利用者の操作は、先のステップ４１２（図６）と同じである。
【００８９】
（５）振込み額を入力することを利用者に指示し、振込み先の指定方法として振込み先に関する情報を磁気ストライプに記録した、銀行がすでに発行した振込みカードを使用するか否かの選択を促すメニューをタッチパネル１４６に表示する。ここでは、利用者は振込みカードを使用しない振込みを選択するものとする（ステップ９０５、９０６）。
【００９０】
（６）振込み先の金融機関名、支店名、振込み口座の種目、口座番号、振込み先の受け取り人氏名、利用者である依頼人氏名、依頼人の電話番号を利用者に順次入力することを利用者に指示する（ステップ９０７〜９１１）。
【００９１】
（７）次の振込みのための振込みカードの発行が必要か否かを指摘するように利用者に指示する。また、ステップ９０６〜９１１の入力結果を表示して利用者にその内容の確認を促す（ステップ９１２、９１３）。
【００９２】
（８）利用者が入力結果を確認して確認ボタンを押すと、現金自動預入支払機１４は、入力された振込み額の電子貨幣を入力されたＩＣカードから引き出し、引き出した電子通貨を銀行営業店システム１内の電子金庫１５に移動する。さらに、振込み額を利用者が指定した銀行口座に振込むことを銀行計算機センタ５に通知する（ステップ９１４）。
【００９３】
（９）その後明細書を作成し、ＩＣカード、明細書を排出する。ステップ９１２で振込みカードの発行を利用者が要求したときには、このカードも発行する。利用者は、これらを受け取って処理を終了する（ステップ９１４、９１５）。
【００９４】
なお、ステップ９０６で、振込みカードによる振込みが選択された場合、振込みカードをカード挿入口に挿入することを利用者に指示し、ステップ９１３で振込みカード内の内容を表示し、以後、ステップ９１４以降を実行する。
【００９５】
また、ステップ９０２で口座からの振込みが選択された場合には、ステップ９０３と９０４に代えて、口座からの出金の場合に実行されたステップ５０２と５０３（図７）を実行すればよい。また、ステップ９０２で現金による振込みが選択された場合には、ステップ９０３と９０４に代えて、現金の入金の場合に実行されたステップ４２６、４２８，４３４（図６）を実行すればよい。
【００９６】
前述した本発明の実施形態によれば、電子貨幣を収納したＩＣカードを使用して、電子貨幣による入金、出金、現金への換金、振込み等の取引を実行できる。しかもそのときの操作手順は、現金によりこれらの取引を行う場合にきわめて近いものである。さらに、入金あるいは出金のように、銀行の名称、口座番号を入力する必要がある場合に、従来のキャッシュカードを併用することにより、これらの情報を保持するＩＣカードの場合もそうでないカードの場合も全く同じ操作手順でこれらの取引を行うことができる。また、従来からあるキャッシュカード、振込みカード、ＩＣカード等の複数のカードを、取引の内容に合わせて効率的に取扱うことができる。
【００９７】
＜発明の実施の形態１の変形例＞
実施の形態１では、入金（図６）のときには、入金に使用する貨幣が現金か電子貨幣かを選択することを利用者に指示した後で（ステップ４０４）、いずれの場合もキャッシュカードと暗証番号の入力を利用者に求めていた。その後、先に現金を希望した利用者には現金の投入を求め、先に電子貨幣を希望した利用者にはＩＣカードの挿入を求めた。一方、出金（図７）の場合には、利用者に希望する貨幣が現金であるか電子貨幣であるかを問い合わせないで、キャッシュカードと暗証番号の入力を利用者に求め、さらに出金額を利用者に問い合わせた。その後、希望する貨幣が現金であるか電子貨幣であるかを利用者に問い合わせ、利用者が希望する貨幣に依存した操作をさらに利用者に要求した。
【００９８】
これらの操作手順を以下のように変更することは可能である。
【００９９】
（１）出金のための操作手順の内、入金にも共通あるいは類似である部分を図６の入金のための操作手順と同じにする。
【０１００】
（２）入金のための操作手順を内、出金にも共通あるいは類似である部分を図７の出金のための操作手順と同じにする。
【０１０１】
＜発明の実施の形態２＞
実施の形態１では、ＩＣカードに銀行識別番号と口座番号が記録されていない場合、あるいはそれらが記録されているがそれらが指定する口座とは異なる銀行口座に対する処理が、キャッシュカードを併用して以下に実行するかを説明した。しかし、当然ＩＣカードに記載の銀行口座に対して処理が可能である。本実施の形態２では、ＩＣカードに銀行識別番号と口座番号が記録されている場合に、それらの番号により特定される口座に対して取引を実行するために、そのカードがいかに処理されるかを簡単に説明する。
【０１０２】
すなわち、入金の場合、図６のステップ４０４で電子通貨が選択された場合、ステップ４０６におけるキャッシュカードの挿入の前に、ＩＣカードの挿入を利用者に促す。現金自動預入支払機１４では、ＣＰＵ１６２によりこのＩＣカードに銀行識別番号と口座番号が記録されているか否かを検査し、記録されている場合には、それらを読み出す。その後図６のステップ４０６をスキップし、ステップ４０８による暗証番号の入力を促し、ＩＣカード入力ステップ４１０を省略する。
【０１０３】
入力されたＩＣカードに銀行識別番号と口座番号が記録されていない場合には、ステップ４０６によるキャッシュカードの挿入を促し、ステップ４０８を実行する。ＩＣカード入力ステップ４１０を省略するのは同じである。
【０１０４】
以上の処理は、図７に示した出金処理にも同様に適用できる。すなわち、ステップ５０２，５０３、５０８を上に述べたように修正すればよい。なおこのように修正すると、銀行識別番号と口座番号を保持したＩＣカードを使用した場合には、キャッシュカード排出ステップ５０７も実行されない。
【０１０５】
なお、残高照会、換金および振込みの場合には、実施の形態１で記載した処理を実行すればよい。
【０１０６】
＜発明の実施の形態２の変形例＞
実施の形態１において、電子貨幣カードとして、銀行識別番号と口座番号が記録されているもののみを使用するように、使用する電子貨幣カードを制限するときには、上記処理手順において、入力されたＩＣカードに、このような情報が記録されていないときには、そのＩＣカードの利用ができない旨を利用者に通知し、処理を中止することもできる。
【０１０７】
＜発明の実施の形態３＞
実施の形態１での入金処理（図６）中の通貨選択ステップ４０４において、「現金」か「電子貨幣」かを選択することを利用者に指示するメニューを表示しているが、本実施の形態では、この選択ステップを省略する。
【０１０８】
すなわち、ステップ４０２の後に、この通貨選択の画面を表示しないで、「現金による入金の場合には、キャッシュカードを入金して下さい。ＩＣカードの電子貨幣による入金の場合には、ＩＣカードを入れて下さい」等のガイダンスを表示する。キャッシュカードが挿入された場合には、現金による入金処理としてステップ４２８以降をを実行する。この際、キャッシュカード入力ステップ４２６はすでに実行されたので実行されない。ＩＣカードが挿入された場合、電子貨幣による入金処理として、ステップ４０６以降を、実行する。但し、ステップ４１０はすでに実行されたので実行しない。
【０１０９】
なお、スキップ４０６の実行を実施の形態２で記載したようにスキップすることも可能である。すなわち、入力されたＩＣカード内に銀行識別番号と口座番号が記憶されているか否かを検査し、記憶されている場合には、ステップ４０６をスキップする。
【０１１０】
図７に示した出金処理では、以下のように処理を修正することにより通貨選択ステップ５０６を省略できる。すなわち、ステップ５０１の後に、前述のようにキャッシュカードとＩＣカードの一方の入力を促す。もし、キャッシュカードが入力されたときには、ステップ５０３から５０５を実行し、その後ステップ５０６をスキップし、さらに現金を排出する。一方、ＩＣカードが入力されたときには、実施の形態２に記載した方法を併用する。すなわち、ＩＣカード内に銀行識別番号と口座番号が記録されているか否かを検査し、記録されていると判明したきには、ステップ５０３から５０５を実行し、その後ステップ５０６から５０８を省略し、さらにステップ５０９から５１０を実行する。もし、ＩＣカードに銀行識別番号と口座番号が記録されていないことが判明したときには、ステップ５０２から５０５を実行し、その後ステップ５０６をスキップし、ステップ５０７を実行する。その後、ステップ５０８をスキップした後に、ステップ５０９，５１０を実行する。
【０１１１】
図８の残高照会では、ステップ６０２により、残高照会が選択されたときに、「口座残高の照会をするときにはキャッシュカードを入れて下さい、電子貨幣の残高を照会するときには、ＩＣカードを入れて下さい」というように、キャッシュカードとＩＣカードの一方の入力を利用者に要求する。もし、キャッシュカードが入力されたときには、ステップ６０４，６１６を省略してステップ６１８にジャンプすればよい。もしＩＣカードが入力されたときには、ステップ６０４，６０６を省略してステップ６０８にジャンプすればよい。
【０１１２】
図１１の振込み処理では、ステップ９０１の後に、ステップ９０２に代えて「口座からの振込みをするときにはキャッシュカードを入力し、電子貨幣を入力するときにはＩＣカードを入力し、現金で振込みするときには、現金を入力して下さい」というガイダンスを表示する。ＩＣカードが入力されたときには、ステップ９０３をスキップし、ステップ９０４以降を実行する。キャッシュカードが入力されたときには、ステップ９０５以降の処理を実行する。現金が入力されたときも同様である。
【０１１３】
なお、図８に示した残高照会および図９、図１０の換金処理の場合にはこれらの図に示した手順を実行する。
【０１１４】
＜発明の実施の形態４＞
（１）図１２は本発明による他の現金自動預入支払機の外観を示す斜視図である。
【０１１５】
この機械１４は、カード挿入口１４３以外にもう一つのカード挿入口１４３’が設けられている点で図２に示すものと相違する。カード挿入口１４３’はＩＣカード専用として使用する。カード挿入口１４３はキャッシュカードと振込みカード用に使用する。一般に利用者は特定のカードを特定のカード挿入口を使用して挿入する方が操作がしやすい。
【０１１６】
しかし、これらのカード挿入口１４３，１４３’は、いずれもキャッシュカード、振込みカード、ＩＣカードのいずれの挿入にも使用するようにも装置を構成することも可能である。、そのような構成の方が使い勝手の上で望ましいと考える利用者もいる。この場合、 ＩＣカードあるいはキャッシュカードは、２つのカード挿入口のいずれかから挿入されてもそれぞれＩＣカードリーダ／ライタ１８２，キャッシュカードリーダ／ライタ１８４に搬送されるようにカード搬送路を構成する。
【０１１７】
＜電子貨幣システムの詳細＞
本発明を適用する電子貨幣システムそのものをより詳細に説明する。図１において、流通システム２は、通常、ＰＯＳ端末２２が、内部通信回線１３、ストアコントローラー２３を介してセンタ装置２４に接続されて構成される。電子貨幣決済のために、通常のＰＯＳ端末２２には外付けのＩＣカードリーダ／ライタ１１がさらに設けられ、あるいは、電子貨幣用ＰＯＳ端末２１を使用して構成される。また、センタ装置２４は、情報制御システム２５、ワークステーション２６、電子金庫１５を備えて構成される。
【０１１８】
エンドユーザシステム３は、主に個人ユーザシステムであり、簡単にはＩＣカード内の電子貨幣の残高を表示することのできる電子財布３１だけでよい。この電子財布３１には、電卓等の機能を加えることも可能である。また、パソコン３２は、電子貨幣決済のためにＰＣ型カードリーダ／ライタ３３を有し、さらに、公衆通信網７と接続可能に構成される。また、通常の電話機に電子貨幣を収納するＩＣカード１０に対する処理機能を備えたＩＣカード電話機３４を使用することもできる。
【０１１９】
前述のエンドユーザシステム３におけるパソコン３２、ＩＣカード電話装置３４は、その内部に２枚のＩＣカードに対する２組のカードリーダ／ライタを設けることにより、２枚のＩＣカード相互間で電子貨幣のやり取りを行うことができる。これにより、例えば、主人のＩＣカード内の電子貨幣を、主婦のＩＣカードに移す等の、通常の現金を取扱う場合と同様な処理を行わせることができる。
【０１２０】
自動販売機システム４は、内蔵型のＩＣカードリーダ／ライタ４１が設けられた自動販売機４２により構成される。
【０１２１】
前述の電子貨幣の引き出しの際、個人の所持するＩＣカードは、自カード内に有する通信機能により、窓口端末１２、現金自動預入支払機１４、パソコン３２、または、ＩＣカード電話機３４等内に設けられたＩＣカードリーダ／ライタ１１，３３（図１）、１８２（図３）等を介して、銀行営業店システム１内の電子金庫１５内のＩＣカードと接続される。そして、電子貨幣トランザクション制御端末１６の制御の下に、銀行営業店システム１内の電子金庫１５内のＩＣカード１０に収納されている電子貨幣が、個人の所持するＩＣカード１０内に収納される。このとき、銀行営業店システム１内の電子金庫１５内のＩＣカード１０に収納されている電子貨幣の残高は、個人の所持するＩＣカード１０内に収納した分だけ減額される。また、個人の口座からの預金の引き下しは、従来から行われていたと同様に行われる。
【０１２２】
個人が所持するＩＣカードに、その個人の銀行口座の預金を現金自動預入支払機１４を使用して引き降ろし、ＩＣカードに電子貨幣として保持することができる。さらに、現金を銀行の窓口または電子貨幣発行組織の窓口に持っていき、そこでＩＣカードにその現金に相当する電子貨幣を収納してもらうこともできる。
【０１２３】
また、ＩＣカード内の電子貨幣は、窓口端末１２、現金自動預入支払機１４、パソコン３２を介して、銀行営業店システム１内の電子金庫１５内のＩＣカード内に返却し、同時に自己の口座に預入することもできる。
【０１２４】
前述のようにして、電子貨幣を自己のＩＣカード１０内に収納したユーザは、各種商店等において、そのＩＣカードを現金と同様に使用して商品の買物を行い、また、各種のサービスを受けることが可能である。
【０１２５】
今、電子貨幣を自己のＩＣカード１０内に収納したユーザが、商店で買物を行い、支払のためＰＯＳ端末のカウンタに買い上げた商品を持ち込んだものとする。扱い者は、通常の取引の場合と同様に、バーコード等を読み込ませることにより、商品の売値をＰＯＳ端末２１または２２から入力し、その合計を演算させて顧客に請求する。
【０１２６】
顧客が現金の代りに電子貨幣が収納されたＩＣカードにより支払を行う場合、顧客は、そのＩＣカードを、電子貨幣用ＰＯＳ端末１２のカード挿入孔、または、通常のＰＯＳ端末２２に接続されたＩＣカードリーダ／ライタ１１に挿入する。これにより、顧客のＩＣカードとその商店のセンタ装置２４に設置されている電子金庫１５内のＩＣカードの１枚とが、内部通信回線１３、ワークステーション２６とを介して接続され、顧客のＩＣカード内の電子貨幣がセンタ装置２４に設置されている電子金庫１５内のＩＣカードの１枚に移され、ＰＯＳ端末からレシートが出力されて、買物による支払の処理が終了する。この場合、顧客のＩＣカード内の電子貨幣は、買物に使用された分だけ減額され、商店のＩＣカードの電子貨幣に加算される。
【０１２７】
前述では、多数のＰＯＳ端末と、センタ装置２４に多数のＩＣカードを格納した電子金庫を備える流通システムにおいて、商品の取引代金を支払うものとして説明を行ったが、個人商店等で、１台の入金機のみを備えるようなシステムの場合、入金機に顧客のＩＣカードのためのＩＣカードリーダ／ライタを設け、また、入金機の内部に、その商店が所持するＩＣカードを持たせることにより、この商店が所持するＩＣカードと、ＩＣカードリーダ／ライタを介して接続される顧客のＩＣカードとの間で、電子貨幣による支払を行うことができる。そして、商店が所持するＩＣカード内の電子貨幣は、前述したように、銀行の口座に入金することができ、あるいは、銀行の窓口で現金化することもできる。
【０１２８】
さらに、前述したＰＯＳ端末を有する流通システムにおいて、システムの構築方法として、各ＰＯＳ端末にＩＣカードを持たせ、顧客のＩＣカードとの間の金銭授受を、一旦、このＰＯＳ端末内のＩＣカードと顧客のＩＣカードとの間で行い、必要に応じて、ＰＯＳ端末からセンタ装置２４の電子金庫１５内のＩＣカードに移すようにすることができる。
【０１２９】
また、自動販売機４２等が電子貨幣システムに参加する場合、自動販売機４２に内蔵型のＩＣカードリーダ／ライタ４１を設けると共に、自動販売機自身にＩＣカードを備え、顧客がＩＣカードリーダ／ライタ４１に挿入したＩＣカードとの間で金銭の授受を行うようにすればよい。
【０１３０】
＜変形例＞
以上に述べた種々の実施の形態は、現金による入金と出金の両方を行える現金自動預金支払機における電子貨幣カードの取扱方法を示した。しかし、これらの実施の形態で示された入金時の電子貨幣カードの取扱い方法は、上記の機械に限定されるものではなく、入金を扱うが出金を扱わない現金自動預金機等の、現金による預金を扱える現金自動取扱装置（あるいは現金自動取引装置）における入金にも適用できる。同様に、上記の実施の形態で示された、出金時の電子貨幣カードの取扱い方法は、現金自動預金支払機に限定されるものではなく、出金を扱うが入金を扱わない現金自動支払機等の、現金による支払を扱える現金自動取扱装置（あるいは現金自動取引装置）にも適用できる。同様に、上記の実施の形態で示された、残高照会、換金、あるいは振り込みのいずれかにおける電子貨幣カードの取扱い方法は、現金自動預金支払機に限定されるものではなく、上記現金自動預金機、現金自動支払機等の、現金による預金あるいは支払の少なくとも一方を扱える現金自動取扱装置（あるいは現金自動取引装置）にも適用できる。
【０１３１】
【発明の効果】
以上説明したように本発明によれば、現金自動取扱装置において、電子貨幣用カードを使用して、電子貨幣による入金、あるいは出金、あるいは現金への換金、あるいは振込み等の内の少なくとも一つの取引を実行できる。
【図面の簡単な説明】
【図１】本発明による現金自動預入支払機が適用される電子貨幣システムの概略ブロック図である。
【図２】図１のシステムに適用される、本発明による現金自動預入支払機の第１の実施形態の外観を示す斜視図である。
【図３】図２の装置の内部の概略ブロック図である。
【図４】図２の装置に使用されるＩＣカードリーダ／ライタの概略ブロック図である。
【図５】図２の装置に使用されるＩＣカードの概略ブロック図である。
【図６】図２の装置における電子貨幣または現金を用いた口座への入金処理のフローチャートである。
【図７】図２の装置における出金処理のフローチャートである。
【図８】図２の装置における残高確認処理のフローチャートである。
【図９】図２の装置における現金から電子貨幣への換金処理のフローチャートである。
【図１０】図２の装置における電子貨幣から現金への換金処理のフローチャートである。
【図１１】図２の装置における振込み処理のフローチャートである。
【図１２】図１のシステムに適用される、本発明による現金自動預入支払機の第２の実施形態の外観を示す斜視図である。
【符号の説明】
１  銀行営業店システム
２  流通システム
３  エンドユーザシステム
４  自動販売機システム
５  銀行計算機センタ
６  電子通貨発行組織
７  公衆通信網
１０  ＩＣカード
１１  外付けＩＣカードリーダ／ライタ
１２  窓口端末
１３  内部通信回線
１４  現金自動預入支払機
１５  電子金庫
１６  電子通貨トランザクション制御端末
１７  リレーコンピュータ
２１  電子通貨用ＰＯＳ端末
２２  ＰＯＳ端末
２３  ストアコントローラー
２４  センタ装置
２５  情報制御システム
２６  ワークステーション
３１  電子財布
３２  パソコン
３３  ＰＣカード型カードリーダ／ライタ
３４  ＩＣカード電話機
４１  内蔵型ＩＣカードリーダ／ライタ
４２  自動販売機
５１  勘定系システムホスト
５２  外接系システム
５３  外接系制御端末
１４０  本体部
１４１  通帳挿入口
１４２  表示パネル
１４３、１４３’  カード挿入口
１４４  紙幣投入／排出口
１４５  硬貨投入／排出口
１４６  タッチパネル操作部
１４７  感知装置
１４８  硬貨誤投入排出受け口
【図１】
0003686740.tif 000002
【図２】
0003686740.tif 000003
【図３】
0003686740.tif 000004
【図４】
0003686740.tif 000005
【図５】
0003686740.tif 000006
【図６】
0003686740.tif 000007
【図７】
0003686740.tif 000008
【図８】
0003686740.tif 000009
【図９】
0003686740.tif 000010
【図１０】
0003686740.tif 000011
【図１１】
0003686740.tif 000012
【図１２】
0003686740.tif 000013